(57)【特許請求の範囲】
【請求項１】
矩形枠体状に形成された外枠の開口前面に対して遊技盤を配設した中枠が組付けられると共に、各種効果音を出力し得る出力装置を備えた遊技機において、
前記外枠の下辺を構成し、前端縁に設けられた前板に前後に貫通する第１の開口部および第２の開口部が形成された下枠部材と、
前記出力装置の出力部を囲繞する枠状のフレームおよび前記下枠部材の前板の間に配置され、該前板に形成された第１の開口部に臨む出力部の保護カバー体と、
前記保護カバー体に設けられ、前記出力装置のフレームに対して全周に亘って当接すると共に、前記下枠部材における前板の裏側に対して前記第１の開口部の開口縁の全周に亘って当接する当接部と、
前記下枠部材における前板の裏側に固定されると共に、板状部分に前記フレームに背面側から当接する状態で前記出力装置が固定され、該板状部分に出力装置の後部を挿通する通出孔が形成されたサブフレームと、
前記サブフレームにおいて前記出力装置のフレームが当接する板状部分の端縁の全周に亘って設けられて該フレームを囲繞し、前記前板側に向けて立ち上がる隔壁と、
前記下枠部材の裏側に密着するよう配設されて当該下枠部材とにより気密的な収容部を画成し、該収容部内に前記出力装置の後方側を収容する収容ケースと、
前記下枠部材の前板に形成された第２の開口部から前記収容部内に延出し、該収容部を外部に連通するバスレフダクトとを備え、
前記サブフレームを前記前板の裏側に固定した際に前記出力装置のフレームの全周に亘り前方に向かう均一な押圧力を作用させることで、前記出力装置のフレームがサブフレームの板状部分に対して密着すると共に、前記保護カバー体の当接部の全周が出力装置のフレームに対して密着し、更に保護カバー体の当接部および隔壁の夫々の全周が前板の裏面に対して密着するよう構成した
ことを特徴とする遊技機。
【請求項２】
前記保護カバー体は、前記出力装置の出力部から出力される各種効果音の通過を許容し得る開口部が形成されたカバー部材と、該カバー部材の前側に重ねて配設される取付枠とを備え、
前記カバー部材は、効果音の通過を許容する開口部が形成される平面部と、該平面部の全周に亘り後方に向かって突設される枠部と、該枠部の後方端の全周に亘って形成され、外方向へ延出する前記当接部としての第１のフランジ部とを有し、
前記取付枠は、前記下枠部材における前板の第１の開口部と整合すると共に、前記カバー部材の枠部が内側に臨む枠状に形成されると共に、該取付枠の後端部には、全周に亘って外方向へ延出して、重ね合わせた前記カバー部材の第１のフランジ部が当接すると共に前記下枠部材における前板の裏側に当接する前記当接部としての第２のフランジ部が形成され、
前記サブフレームを前記前板の裏側に固定することで、前記第１のフランジ部の全周が前記出力装置のフレームに対して密着し、該第１のフランジ部の全周が第２のフランジ部の裏面に対して密着し、第２のフランジ部の全周が前記前板の裏面に対して密着するよう構成した請求項１記載の遊技機。
【請求項３】
前記保護カバー体は、前記カバー部材として前後方向に重ね合わされる第１カバー部材および第２カバー部材を備え、
前記出力部に近接して配設される第１カバー部材には、その略中央部に向かって凹形状となるよう前後方向に所要間隔で離間すると共に、後側に向かうにつれて外形寸法が小さくなる複数の規制部を外郭枠に配設して、各規制部間に効果音の通過を許容する開口部を夫々形成し、
前記第１カバー部材の前側に配設される第２カバー部材は、前記平面部と、前記枠部と、前記第１のフランジ部とを備えて、該平面部が前記第１カバー部材の外郭枠と対応する大きさの皿状に形成されると共に、該枠部の内側に外郭枠が臨むよう構成され、
前記第１および第２カバー部材に形成される開口部の夫々を異なる形状に設定し、第２カバー部材の開口部に通入した異物を、第１カバー部材で規制するよう構成した請求項２記載の遊技機。
【請求項４】
前記前板の裏側で且つ前記第１の開口部を囲む所要箇所に、複数の突起が突設されると共に該突起の頂面にネジ孔が形成され、
前記サブフレームにおけるフレームと当接する側の部位に、前記突起の挿入を許容すると共に底部を貫通する通孔を形成した複数の有底孔が対応的に凹設され、
前記出力装置が固定された前記サブフレームを介して前記前板の裏側に出力装置を取付けるに際して、前記突起を対応の有底孔へ挿入することで、該出力装置の位置決めおよび仮固定がなされ、この状態で、前記有底孔に形成した通孔に挿通したネジをネジ孔に螺挿することでサブフレームが前記突起に固定されると共に、
前記突起を対応の有底孔へ完全に挿入した際に、突起の頂面と有底孔の内底面との間に間隙を存在させ、前記有底孔に形成した通孔を挿通したネジをネジ孔に螺挿した際に、該間隙を圧潰することで増し締めを許容し、前記サブフレームを介してフレームの全周に亘り均一な押圧力を作用させるよう構成した請求項１〜３の何れか一項に記載の遊技機。
【発明の詳細な説明】
【０００１】
【発明の属する技術分野】
本発明は、矩形枠体状に形成された外枠の開口前面に対して遊技盤を配設した中枠が組付けられると共に、各種効果音を出力し得る出力装置を備えた遊技機に関する。
【０００２】
【従来の技術】
例えば、パチンコ機やアレンジボール機等の遊技機は、機内にセットされる遊技盤上の遊技領域における所要位置に、数字や文字等の識別可能な図柄を変動表示し得る各種の図柄表示装置が配設され、遊技状態に対応して該図柄表示装置で図柄変動や種々の演出(リーチ演出や大当り演出等)を行なうよう構成されている。また、前記遊技機の所定位置には各種効果音を出力し得る出力装置が配設されており、前記図柄表示装置での演出に合わせて効果音を出力させることで、遊技者が興趣ある遊技を行ない得るようになっている。
【０００３】
前記出力装置は、例えば下球皿等の取付部材に形成される取付孔と対応する裏側(遊技機裏側)に配設され、その前側を向く出力部が取付孔と連通するようになっている。また、この出力部の保護を目的として、取付部材と出力装置との間にカバー体が配設される。なお、前記カバー体は、前記取付部材の取付孔と出力装置の出力部との間に整列する状態に位置させたもとで、後方から複数箇所をネジで取付部材に螺着して固定されている。
【０００４】
【発明が解決しようとする課題】
前記遊技機では、カバー体をネジで取付部材に螺着した後、前記出力装置を取付部材にネジで螺着している。すなわち、カバー体用のネジと、出力装置用のネジとが必要となるため、部品点数の増加を招き、コストが嵩む問題がある。また、前記カバー体を確実に取付けるために複数箇所にネジを螺着するので、作業工数が多く非常に煩わしい作業となっている。更に、前記ネジの締め付けが弱かったり、ネジから離れた位置では、取付部材とカバー体との間に隙間を生ずる畏れがある。前記取付部材とカバー体との間に隙間が生じると、前記出力装置における出力部の前面から出力された音が隙間から漏れて、該出力部の後面から出力される音と干渉したり、当該出力部の後面から出力された音が隙間から漏れて、前面から出力される音と干渉して打消し合うため、鮮明な音の出力が困難となり、遊技の興趣が損なわれてしまう。この場合、特に低音域における音の打消し合いが強くなるため、遊技の迫力や臨場感に乏しくなる問題も指摘される。
【０００５】
また、前記出力装置を取付部材にネジで螺着した場合、該ネジ止め位置以外の部分で前記カバー体との間にも隙間ができる場合があり、このときには、前述と同様に出力部の前後に出力される音が打消し合って遊技者に聞こえる音が不鮮明になる等の問題を招く。
【０００６】
【発明の目的】
本発明は、前述した従来の技術に内在する前記欠点に鑑み、これを好適に解決するべく提案されたものであって、出力部の損傷等を防止するカバー体を、ネジ等を使用することなく所要位置に簡単に取付け得る遊技機を提供することを目的とする。
【０００７】
【課題を解決するための手段】
前記課題を克服し、所期の目的を達成するため、本発明に係る遊技機は、
矩形枠体状に形成された外枠(A)の開口前面に対して遊技盤(J)を配設した中枠(B)が組付けられると共に、各種効果音を出力し得る出力装置(20)を備えた遊技機において、
前記外枠(A)の下辺を構成し、前端縁に設けられた前板(73)に前後に貫通する第１の開口部(22)および第２の開口部(105a)が形成された下枠部材(41)と、
前記出力装置(20)の出力部(21)を囲繞する枠状のフレーム(20a)および前記下枠部材(41)の前板(73)の間に配置され、該前板(73)に形成された第１の開口部(22)に臨む出力部(21)の保護カバー体(30)と、
前記保護カバー体(30)に設けられ、前記出力装置(20)のフレーム(20a)に対して全周に亘って当接すると共に、前記下枠部材(41)における前板(73)の裏側に対して前記第１の開口部(22)の開口縁の全周に亘って当接する当接部(35b,37b)と、
前記下枠部材(41)における前板(73)の裏側に固定されると共に、板状部分に前記フレーム(20a)に背面側から当接する状態で前記出力装置(20)が固定され、該板状部分に出力装置(20)の後部を挿通する通出孔(24a)が形成されたサブフレーム(24)と、
前記サブフレーム(24)において前記出力装置(20)のフレーム(20a)が当接する板状部分の端縁の全周に亘って設けられて該フレーム(20a)を囲繞し、前記前板(73)側に向けて立ち上がる隔壁(24c)と、
前記下枠部材(41)の裏側に密着するよう配設されて当該下枠部材(41)とにより気密的な収容部(104)を画成し、該収容部(104)内に前記出力装置(20)の後方側を収容する収容ケース(103)と、
前記下枠部材(41)の前板(73)に形成された第２の開口部(105a)から前記収容部(104)内に延出し、該収容部(104)を外部に連通するバスレフダクト(105)とを備え、
前記サブフレーム(24)を前記前板(73)の裏側に固定した際に前記出力装置(20)のフレーム(20a)の全周に亘り前方に向かう均一な押圧力を作用させることで、前記出力装置(20)のフレーム(20a)がサブフレーム(24)の板状部分に対して密着すると共に、前記保護カバー体(30)の当接部(35b)の全周が出力装置(20)のフレーム(20a)に対して密着し、更に保護カバー体(30)の当接部(37b)および隔壁(24c)の夫々の全周が前板(73)の裏面に対して密着するよう構成したことを特徴とする。
【０００８】
請求項２に係る遊技機は、前記保護カバー体(30)は、前記出力装置(20)の出力部(21)から出力される各種効果音の通過を許容し得る開口部が形成されたカバー部材(33)と、該カバー部材(33)の前側に重ねて配設される取付枠(37)とを備え、
前記カバー部材(33)は、効果音の通過を許容する開口部(33a)が形成される平面部(34)と、該平面部(34)の全周に亘り後方に向かって突設される枠部(35)と、該枠部(35)の後方端の全周に亘って形成され、外方向へ延出する前記当接部としての第１のフランジ部(35b)とを有し、
前記取付枠(37)は、前記下枠部材(41)における前板(73)の第１の開口部(22)と整合すると共に、前記カバー部材(33)の枠部(35)が内側に臨む枠状に形成されると共に、該取付枠(37)の後端部には、全周に亘って外方向へ延出して、重ね合わせた前記カバー部材(33)の第１のフランジ部(35b)が当接すると共に前記下枠部材(41)における前板(73)の裏側に当接する前記当接部としての第２のフランジ部(37b)が形成され、
前記サブフレーム(24)を前記前板(73)の裏側に固定することで、前記第１のフランジ部(35b)の全周が前記出力装置(20)のフレーム(20a)に対して密着し、該第１のフランジ部(35b)の全周が第２のフランジ部(37b)の裏面に対して密着し、第２のフランジ部(37b)の全周が前記前板(73)の裏面に対して密着するよう構成したことを要旨とする。
【０００９】
請求項３に係る遊技機は、前記保護カバー体(30)は、前記カバー部材として前後方向に重ね合わされる第１カバー部材(31)および第２カバー部材(33)を備え、
前記出力部(21)に近接して配設される第１カバー部材(31)には、その略中央部に向かって凹形状となるよう前後方向に所要間隔で離間すると共に、後側に向かうにつれて外形寸法が小さくなる複数の規制部(31b)を外郭枠(32)に配設して、各規制部(31b)間に効果音の通過を許容する開口部(31a)を夫々形成し、
前記第１カバー部材’31)の前側に配設される第２カバー部材(33)は、前記平面部(34)と、前記枠部(35)と、前記第１のフランジ部(35b)とを備えて、該平面部(33)が前記第１カバー部材(31)の外郭枠(32)と対応する大きさの皿状に形成されると共に、該枠部(35)の内側に外郭枠(32)が臨むよう構成され、
前記第１および第２カバー部材(31,33)に形成される開口部(31a,33a)の夫々を異なる形状に設定し、第２カバー部材(33)の開口部(33a)に通入した異物を、第１カバー部材(31)で規制するよう構成したことを要旨とする。
【００１０】
請求項４に係る遊技機は、前記前板(73)の裏側で且つ前記第１の開口部(22)を囲む所要箇所に、複数の突起(23)が突設されると共に該突起(23)の頂面にネジ孔が形成され、
前記サブフレーム(24)におけるフレーム(20a)と当接する側の部位に、前記突起(23)の挿入を許容すると共に内底面(25a)を貫通する通孔(25b)を形成した複数の有底孔(25)が対応的に凹設され、
前記出力装置(20)が固定された前記サブフレーム(24)を介して前記前板(73)の裏側に出力装置(20)を取付けるに際して、前記突起(23)を対応の有底孔(25)へ挿入することで、該出力装置(20)の位置決めおよび仮固定がなされ、この状態で、前記有底孔(25)に形成した通孔(25b)に挿通したネジ(27)をネジ孔に螺挿することでサブフレーム(24)が前記突起(23)に固定されると共に、
前記突起(23)を対応の有底孔(25)へ完全に挿入した際に、突起(23)の頂面と有底孔(25)の内底面(25a)との間に間隙(S)を存在させ、前記有底孔(25)に形成した通孔(25b)を挿通したネジ(27)をネジ孔に螺挿した際に、該間隙(S)を圧潰することで増し締めを許容し、前記サブフレーム(24)を介してフレーム(20a)の全周に亘り均一な押圧力を作用させるよう構成したことを要旨とする。
【００１３】
【作用】
本発明は、外枠の下辺を構成する下枠部材の前板と、出力装置の出力部を囲繞する枠状のフレームとの間に、該前板の第１の開口部に臨む出力部の保護カバー体を介装したもとで、該出力装置のフレームに背面側からサブフレームを当接させ、このサブフレームを前板の裏側に取付けることにより、当該出力部が第１の開口部に臨む状態で出力装置を取付固定する。また、前記サブフレームを前板の裏側に取付けることで、前記出力装置のフレームがサブフレームの板状部分に対して密着すると共に、前記保護カバー体の当接部の全周が出力装置のフレームに対して密着し、更に保護カバー体の当接部および隔壁の夫々の全周が前板の裏面に対して密着する。このように、前記出力部の保護カバー体をネジ等を使用することなく固定することができ、部品点数を減少させてコストの削減を図り得る。また、ネジの締め付け作業が減少するので、取付作業を簡単に行ない得ると共に、作業時間を短縮し得る。更に、前記出力装置のフレームをサブフレームの板状部分に対して密着させると共に、前記保護カバー体の当接部の全周を出力装置のフレームに対して密着させ、更に保護カバー体の当接部および隔壁の夫々の全周を前板の裏面に対して密着させることで、各部材間に隙間を生ずるのを抑制し得る。これにより、出力部の前面(後面)に出力された音が隙間を介して後面(前面)に通出することはなく、音の干渉による打消し合いが防止されるので迫力や臨場感のある遊技を行ない得る。
【００１４】
また、前記出力装置の後方側に該出力装置を収容する収容ケースを配設し、該収容ケースと前記前板とで気密的な収容部を画成したことで、より一層出力装置の前後から出力される音の干渉を抑制することができ、鮮明な音の出力が可能となる。また、前記収容部の内部と外部とを連通させるバスレフダクトを設けたから、前記出力装置から出力される音の低音域を増強し得るので、臨場感や迫力のある音の出力が可能となる。
【００１５】
また、前記前板の裏側で且つ前記開口部を囲む所要箇所に複数の突起を形成すると共に、前記サブフレームにおける出力装置のフレームと当接する側の部位に、この突部の挿入を許容する複数の有底孔を対応的に凹設して、該有底孔に突部を挿入すれば、該サブフレームを所定の位置に位置決めして、仮固定することができる。すなわち、前記出力装置および保護カバー体の位置決めおよび仮固定を簡単に行ない得るので、取付作業を効率化して作業時間の短縮を図り得る。また、前記有底孔の底部を貫通する通孔を形成したから、前記サブフレームを前記突部に仮固定した際に、該通孔にネジを挿入して前記突部に螺着することで、出力装置および保護カバー体を前記前板の裏側に容易に固定することができる。
【００１６】
更にまた、前記サブフレームを仮固定した際に、前記有底孔の底部と前記突部の頂面との間に僅かな間隙を形成することで、前記ネジを前記突部に螺着する際に該間隙を圧潰して増し締めが許容されるので、該サブフレームを介して出力装置のフレームの全周に亘り均一な押付力を作用させることができる。前記有底孔の底部と前記突部の頂面との間に僅かな間隙を形成して増し締めすることで、前記保護カバー体は、その全周に亘ってフレームおよび前板の裏側に強固に密着される。すなわち、前記保護カバー体の前記前板からの脱落が防止されると共に、前記出力部の前後がより確実に隔絶されて、出力装置の前後から出力される音の干渉を抑制し得る。また、前記出力装置も強固に固定されるため、共振により生じる、所謂びびり音の低減も図ることができるようになる。
【００１７】
【発明の実施の形態】
次に、本発明に係る遊技機につき、好適な実施例を挙げて、添付図面を参照しながら以下詳細に説明する。なお、本実施例では、出力装置を一般的なパチンコ機に配設する場合について説明する。
【００１８】
(パチンコ機全体の概略構成)
そこで、先ず本実施例の出力装置を配設するパチンコ機について、図１を参照して要約説明する。本実施例のパチンコ機Ｐは、その基本的な概略構成として、矩形枠体状に形成される外枠Ａの開口前面側に対し、前枠Ｂが連結支持手段および施錠手段を利用して着脱および開放可能に組付けられている。そして前枠Ｂには、横開き式のガラス扉Ｄを組付けた窓枠Ｃと、ガラス扉Ｄの下部において前枠Ｂに対して着脱および開放可能に組付けられる開閉セット板の前側に上球皿Ｅが組付けられると共に、該開閉セット板の後側に電動式の球送り装置(図示せず)等がセットされている。また、前記前枠Ｂの下部に下球皿Ｆおよび打球発射装置Ｈ等が設置されると共に、裏側に機構セット盤(図示せず)が装備され、更に該前枠Ｂの後側に設けた保持枠(図示せず)の正面内部に、所要の遊技領域Ｉを構成した遊技盤Ｊが着脱交換可能にセットされる。そして、前記下球皿Ｆの下部(前記外枠Ａを構成する後述の下枠部材４１における前板７３の両側部に、パチンコゲーム中に発生する様々な遊技状態に応じて各種効果音を出力し得る出力装置２０,２０が夫々設置されている。
【００１９】
前記遊技盤Ｊは、図１に示すように、略円形状に湾曲形成したレール１０により囲まれた遊技領域Ｉの前側において、縦央やや下部に配設されて球をスイッチで検出し得る始動入賞具１１と、この始動入賞具１１の直上方に配置されて、図柄の変動表示等を行なう図柄可変表示装置Ｋとが整合すると共に、内壁面をメッキ処理して開設された可視表示窓を形成した大型装飾部品Ｌと、風車とも称されて遊技球の流下方向を変向する電飾案内車１２および普通案内車１３と、始動入賞具１１の直下方に設置された大型電動式の入賞装置Ｍと、遊技状態に応じて照射パターンが変更制御される電飾装置１４等を備えている。
【００２０】
また、前記始動入賞具１１の直下方に設置された大型電動式の入賞装置Ｍは、図柄可変表示装置Ｋでの大当り成立時に対する特別遊技状態として、開成作動条件が付与される大型装置である。すなわち、図１に示されるように、特別入賞口１７に対設された扉状の開閉板１８が、後側の電磁ソレノイド(図示せず)に係る設定駆動条件に基づいて、通常の閉塞状態から開放状態に変化されるようになっている。なお、前記入賞装置Ｍの左右両側に普通入賞口１９,１９が設けてある。なお、図１中の符号１６はアウト口を示し、遊技球を排出するようになっている。
【００２１】
(出力装置の取付構造)
次に、本実施例のパチンコ機Ｐに対する出力装置の取付構造につき、図２〜図１５を参照して以下説明する。図２は前記外枠Ａを分解した状態で背面側から視たものであって、該外枠Ａは、上辺を構成する木製の上枠部材４０と、下辺を構成する合成樹脂製の下枠部材４１と、左辺を構成する木製の左枠部材４２および右辺を構成する合成樹脂製の右枠部材４３とから基本的に構成される。そして、前記出力装置２０は、前記下枠部材４１の裏側に取付けるようになっている。なお、実施例で左右とは、図１のようにパチンコ機Ｐを正面側から視た状態で指称するものである。
【００２２】
なお、前記出力装置２０は、出力部２１の略中央部が後方に凹んだ形状の一般的なコーン型スピーカであり(図７参照)、その外周形状は略楕円に形成されている。また、前記出力装置２０には、前記出力部２１を囲繞する枠状の取付ベース(フレーム)２０ａが設けられており、該取付ベース２０ａに保護カバー体３０(後述)が当接するようになっている。なお、この取付ベース２０ａの各角部近傍には、ネジ２６を挿入する通孔２０ｂが夫々穿設されている。
【００２３】
そして、前記出力装置２０を取付ける取着部としての前記下枠部材４１は、図２〜図５に示すように、所要厚みの長尺な板材で構成され、下面を構成する底板７２と、この底板７２の前端縁から所定高さで立上がって前面を構成する前板７３と、底板７２の長手方向両端部に設定される左右の連結部位４１ａ,４１ｂから所定高さで立上がって側面を構成する延出部としての左右の側板７４,７５とから構成されて、上方および後方に開放する箱枠状に形成されている。また、前記前板７３には左右に離間する位置に、該前板７３を貫通して前側に開口する略楕円形状の開口部２２,２２が夫々穿設されており、該開口部２２,２２の後方側に前記出力装置２０の出力部２１を位置させることで、該出力部２１を外部に露出させ得るよう構成されている。なお、左右に配設される出力装置２０,２０の取付構造は基本的に同一であるので、左側(図２および図５において右側)の開口部２２に取付けられる出力装置２０のみを図示して以下説明する。
【００２４】
図５に示すように、前記前板７３の裏側でかつ前記開口部２２の穿設部位を囲む所要箇所に、複数(実施例では４つ)のボス部(突起)２３が後方に向かって夫々突設されると共に、各ボス部２３の後端部(頂面)にはネジ孔(図示せず)を夫々穿設してある。そして、前記出力装置２０の取付ベース２０ａと前記前板７３との間に前記保護カバー体３０を介装して、前記出力部２１を前記開口部２２に整合させた状態で、出力装置２０の後方からサブフレーム２４(後述)を前記ボス部２３に取付けることで、該出力装置２０を下枠部材４１の裏側に取付けるようになっている。
【００２５】
(出力装置の保護カバー体)
前記保護カバー体３０は、前記出力装置２０における出力部２１の前側に位置して前記前板７３の開口部２２を介して外部に臨み、該開口部２２の後方に位置する出力部２１の保護や装飾手段として機能する。ここで、図６に示すように、前記保護カバー体３０は、前記出力装置２０の出力部２１から出力される各種効果音の通過を許容し得る通孔３１ａ,３３ａが夫々形成されて、前後方向に重ね合わされる第１カバー部材３１、第２カバー部材３３および取付枠３７から構成される。なお、前記出力装置２０における出力部２１の前側に前記第１カバー部材３１が配設され、該第１カバー部材３１の前側に第２カバー部材３３が重ねられると共に、該第２カバー部材３３の前側に取付枠３７が重ねられる。
【００２６】
(第１カバー部材)
前記第１カバー部材３１は、図６〜図９に示すように、前記出力装置２０における出力部２１の外周形状より僅かに小さな相似形状の略楕円の枠体状に形成された外郭枠３２と、該外郭枠３２と相似形状の複数の規制部３１ｂとから構成されている。また、複数の規制部３１ｂの夫々は、前後方向に所要間隔で離間すると共に、後側(出力部２１側)に向かうにつれて外形寸法が順次小さくなるよう構成されており、各規制部３１ｂ間にスリット形状の開口部３１ａが夫々形成される。すなわち、前記第１カバー部材３１は、前記出力装置２０の出力部２１と同様に、その略中央部に向かって凹形状に形成されており、該第１カバー部材３１を出力装置２０に取付けた際に、出力部２１に各規制部３１ｂが近接するようになっている。
【００２７】
このため、図９に示すように、前記第１カバー部材３１に形成されるスリット形状の開口部３１ａを前方向から見た場合の開口幅Ｚを狭くしても、斜め方向に開口する開口幅Ｙは充分に広くなっている。なお、前記第１カバー部材３１を前面から見た場合の開口部３１ａの開口幅Ｚは、前記第２カバー部材３３に開口させる後述の開口部３３ａの直径より小さく設定されている(図１０(a),(b)参照)。また、前記各規制部３１ｂは、前記外郭枠３２の周方向に離間し、後方に向かうにつれて外郭枠３２の略中央に収束するよう設けられて、規制部としても機能する複数の連結部材３１ｃを介して外郭枠３２に連結固定される。すなわち、前記第１カバー部材３１を前記出力装置２０に取付けた状態で、該第１カバー部材３１に形成した各規制部３１ｂおよび連結部材３１ｃにより、前記開口部３１ａを介して異物が裏側へ通入するのは規制されて、前記出力部２１の損傷を防止し得るようになっている。
【００２８】
更に、図６〜図９に示すように、前記第１カバー部材３１の外郭枠３２における外周面の上端および下端の略中央位置に係止片３２ａが夫々形成され、前記第２カバー部材３３に形成される後述の係止孔３５ａに係止片３２ａが着脱可能に嵌合するよう構成される。更にまた、前記外郭枠３２における外周面の所要位置には複数の突状部３２ｂが形成されており、前記第１カバー部材３１と第２カバー部材３３とを組付ける際に、該突状部３２ｂが両部材３１,３３の間に嵌入されて強固に固定するようになっている。
【００２９】
(第２カバー部材)
前記第１カバー部材３１の前側に重ねて配設される前記第２カバー部材３３は、図６に示すように、第１カバー部材３１の外郭枠３２と対応する大きさの皿状に形成される平面部３４と、該平面部３４の全周に亘り後方に向かって突設される枠部３５とから構成され、該平面部３４には略円形の複数の開口部３３ａが形成されている。なお前述したように、前記第２カバー部材３３の開口部３３ａの直径は、前記第１カバー部材３１を前面から見た場合の開口部３１ａの開口幅Ｚより大きくなるよう設定されている。また、図６または図７に示すように、前記第２カバー部材３３における枠部３５の後方端の全周に亘って、外方向に延出する第１のフランジ部３５ｂが形成されており、この第１のフランジ３５ｂが前記出力装置２０の取付ベース２０ａに当接するよう構成されている。また、前記取付枠３７に形成される後述の第２のフランジ部３７ｂに、前記第１のフランジ部３５ｂが当接することで、該第２カバー部材３３の位置決めがなされるようになっている。
【００３０】
更に、図６または図７に示すように、前記第２カバー部材３３の枠部３５には、前記第１カバー部材３１と第２カバー部材３３とを整列させた際に、第１カバー部材３１の係止片３２ａ,３２ａと対応する位置に係止孔３５ａ,３５ａが夫々穿設されている。そして、前記各係止片３２ａの先端を対応する係止孔３５ａに挿入したもとで、前記第１カバー部材３１を後方から押圧することで、該第１カバー部材３１が全体的に弾性変形されて夫々の係止片３２ａが係止孔３５ａに嵌合し、両カバー部材３１,３３が着脱可能に組付けられることにより、前記保護カバー体３０が一体的に取扱い得るようになっている。また、前記第２カバー部材３３に穿設される各係止孔３５ａは前記枠部３５を貫通するよう形成されており、前記第１カバー部材３１の各係止片３２ａを該係止孔３５ａに嵌合した際に、該枠部３５から係止片３２ａが外側に突出するよう設定されている。なお、前記第１および第２カバー部材３１,３３を組付ける際に、第１カバー部材３１の前記各突状部３２ｂが、両カバー部材３１,３３の隙間に嵌入されて両カバー部材３１,３３を強固に固定するよう構成されている。
【００３１】
(取付枠)
前記第２カバー部材３３の前側に重ねて配設される前記取付枠３７は、図６に示すように、前記下枠部材４１における前板７３の開口部２２と整合する枠状に形成されており、該取付枠３７の開口部３７ｄから第２カバー部材３３の平面部３４を外部に露出し得るようになっている。そして前記取付枠３７の前端部から開口部３７ｄの内側に向かって、第２カバー部材３３の前記平面部３４の前面が当接する係合部３７ａが延出すると共に、該取付枠３７の後端部からは外側に向かって延出する第２のフランジ部３７ｂが全周に亘って形成されている。すなわち、前記取付枠３７の係合部３７ａに第２カバー部材３３の平面部３４が当接することで、該第２カバー部材３３の位置決めがなされる。そして、前記取付枠３７を前記下枠部材４１の開口部２２に整合させた際に、該取付枠３７の第２のフランジ部３７ｂが、下枠部材４１における開口部２２の穿設部位の周囲裏面に当接することで、取付枠３７の位置決めがなされるようになっている。
【００３２】
また、前記取付枠３７における開口部３７ｄには、前記第１カバー部材３１を組付けた第２カバー部材３３と取付枠３７とを整列させた際に、第１カバー部材３１の各係止片３２ａと対応する位置に係止凹部３７ｃが夫々形成されている。すなわち、前記第１カバー部材３１の係止片３２ａを前記第２カバー部材３３の係止孔３５ａに嵌合した状態で、該係止孔３５ａから突出した係止片３２ａの先端を対応する係止凹部３７ｃに当接させたもとで、該第１カバー部材３１を後方から押圧することで、第１カバー部材３１が全体的に弾性変形されて夫々の係止片３２ａが係止凹部３７ｃに嵌合し、両カバー部材３１,３３が取付枠３７に着脱可能に組付けられて、これら３個の部材からなる保護カバー体３０を一体的に取扱い得るよう構成される。
【００３３】
(サブフレーム)
前記サブフレーム２４は、合成樹脂で略矩形状に形成してある。また、図１１(a),(b)に示すように、前記サブフレーム２４の端縁の全周に亘って前側(図１１(b)において上方)に向かって立ち上がる隔壁２４ｃが形成されている。また、前記サブフレーム２４の略中央部には、所要の大きさの通出孔２４ａが穿設され、前記出力装置２０の後部側を挿通するようになっている。更に、前記通出孔２４ａに出力部２０を挿通した状態で、前記サブフレーム２４における出力装置２０の取付ベース２０ａに穿設した通孔２０ｂと整列する位置に、ネジ孔２４ｂが対応的に形成してある。そして、前記取付ベース２０ａにおける各通孔２０ｂの前側から前記サブフレーム２４のネジ孔２４ｂにネジ２６を夫々螺挿することで、前記出力装置２０とサブフレーム２４とを連結固定するようになっている。
【００３４】
前記サブフレーム２４における前記取付ベース２０ａと当接する側には、前記下枠部材４１に突設した前記各ボス部２３の挿入を許容する所要深さの固定用凹部(有底孔)２５が、夫々対応的に凹設されており、該固定用凹部２５にボス部２３を挿入することで、該サブフレーム２４の位置決めおよび仮固定がなされるようになっている。また、前記各固定用凹部２５内における後方側の底面(内底面)２５ａを貫通するように通孔２５ｂが穿設してある。そして、前記サブフレーム２４を固定した出力装置２０と前記下枠部材４１の裏側との間に前記保護カバー体３０を介装させた状態で、各固定用凹部２５に挿入したボス部２３のネジ孔２３ｂに、各通孔２５ｂに挿通したネジ２７を螺挿することで、下枠部材４１の裏側に出力装置２０を固定するよう構成されている。
【００３５】
また、前記下枠部材４１の前板７３に形成した前記ボス部２３の高さと、前記サブフレーム２４に形成した固定用凹部２５の深さとの関係は、図１３に示すように、前記取付枠３７の第２のフランジ部３７ｂを該前板７３に当接した状態で、該ボス部２３の後方端と固定用凹部２５の内底面２５ａとの間に所要の間隙Ｓが生じるよう設定されている。そして、前記通孔２５ｂに裏側から挿通したネジ２７をボス部２３のネジ孔に螺挿した際に、合成樹脂製の前記サブフレーム２４や下枠部材４１が弾性変形して前記間隙Ｓを圧漬することで増し締めが許容されることによって、ボス部２３の後端部と固定用凹部２５の内底面２５ａとが当接するようになっている。更に、このとき前記サブフレーム２４における隔壁２４ｃの前側端縁が全周に亘って前記下枠部材４１の裏側に密着するよう設定される。なお、本実施例では、前記ボス部２３の後端部と前記固定用凹部２５の内底面２５ａとの間に生じる間隙Ｓを、０.５ｍｍ〜１.５ｍｍの範囲となるように設定してある。
【００３６】
(エンクロージャー構造)
また、図２または図５に示すように、前記下枠部材４１における前板７３の裏側には、前記左右の出力装置２０,２０の後側を被覆し得る収容ケース１０３が配設され、該前板７３、収容ケース１０３および底板７２により、所謂エンクロージャー構造の収容部１０４が画成されている。すなわち、前記前枠７３の左右に配設された前記出力装置２０,２０の出力部２１,２１は、前記保護カバー体３０,３０を介して外部に露出しているため、各種効果音を外部に出力し、一方出力部２１,２１の後側は、前記エンクロージャー構造の収容部１０４内に収容されるため、各種効果音を該収容部１０４内に出力する。なお、前記収容ケース１０３と前板７３および底板７２との間には、ゴムパッキン等の目地材(図示せず)が配設されて、前記収容部１０４の気密性を確保するよう構成される。
【００３７】
(バスレフダクト)
図５または図１４に示すように、前記前板７３の略中央部には、縦長の矩形状に開口部１０５ａが開口されており、該開口部１０５ａから前記収容ケース１０３で画成された前記収容部１０４内に延出する所要長のバスレフダクト１０５が形成されている。すなわち、エンクロージャー構造の収容部１０４内と外部とは、パチンコ機Ｐの略縦央下方位置に開口する前記バスレフダクト１０５を介して連通するよう構成される。また、このバスレフダクト１０５が外部に開口する前記開口部１０５ａの上部および両側部近傍の夫々には、後述の保護部材１０６を取付け得る係止孔１０５ｂが夫々穿設されており、該保護部材１０６が各係止孔１０５ｂを介して前記前板７３に着脱交換可能に取付けられる。
【００３８】
(保護部材)
前記保護部材１０６は、図１４または図１５に示すように、略楕円形状に形成された本体部１０６ａに、前記前板７３に形成されるバスレフダクト１０５の開口部１０５ａの形状と対応する形状の通孔１０６ｂが穿設されている。また、前記保護部材１０６の本体部１０６ａには、バスレフダクト１０５の開口部１０５ａと保護部材１０６の通孔１０６ｂとを整列させた際に、前記前板７３に穿設された各係止孔１０５ｂと対応する位置に係止片１０６ｃが夫々形成されており、各係止片１０６ｃの先端を対応する係止孔１０５ｂに挿入したもとで、保護部材１０６を前方から押圧することで、夫々の係止片１０６ｃが弾性変形して係止孔１０５ｂに着脱可能に嵌合装着されるようになっている。
【００３９】
更に、図１５(a),(b)に示すように、前記保護部材１０６の通孔１０６ｂには、該保護部材１０６を前記バスレフダクト１０５の開口部１０５ａに取付けた際に、エンクロージャー構造の収容部１０４内と外部との連通状態を保持すると共に、該収容部１０４への異物等の進入を規制し得る規制片１０７が設けられている。ここで、図１５(b)に示すように、前記保護部材１０６に設けられる前記規制片１０７は、後方から前方に向かって所要角度で下がるように傾斜された複数の平板部材１０７ａで構成され、各平板部材１０７ａは所要の間隔で夫々上下に離間してその間が開口するようになっている。
【００４０】
(外枠の組付け構造)
次に、前記出力装置２０が取付けられる前記外枠Ａについて、図２〜図４,図１６〜図２１を参照して以下説明する。前述のように、前記外枠Ａは、上枠部材４０、下枠部材４１、左枠部材４２および右枠部材４３から基本的に構成される。そして、上枠部材４０を左枠部材４２に第１の補強部材４４を介して連結固定すると共に、該上枠部材４０を右枠部材４３に第２の補強部材４５を介して連結固定し、更に下枠部材４１を右枠部材４３に第３の補強部材４６および第４の補強部材４７を介して連結固定すると共に、該下枠部材４１を左枠部材４２に第４の補強部材４７および第５の補強部材４９を介して連結固定することで、当該外枠Ａは縦長矩形状の枠体として構成される(図３,図４参照)。そして、この外枠Ａの開口前面側に、前記前枠Ｂが後述する連結部材４８,４９および施錠手段５０を利用して開閉および着脱可能に組付けられるようになっている。
【００４１】
(上枠部材)
前記上枠部材４０は、図２〜図４に示すように、前記下枠部材４１の底板７２と略同一の長さ寸法に設定されて、その左側端部に設定される左連結部位４０ａの上面には、上連結部材４８の厚みと略同等分だけ凹む段部５１が所定長さに亘って形成されると共に、該左連結部位４０ａにおける端縁の前後方向の中央に、ほぞ溝５２が形成されている。また段部５１には、図１９に示す如く、上第１ボルト５３の挿通を許容する複数(実施例では４つ)の上第１ボルト挿通孔５４が、所定パターンで上下に貫通するよう穿設される。更に、上枠部材４０の右側端部に設定される右連結部位４０ｂには、図２０に示す如く、上第２ボルト５５の挿通を許容する複数(実施例では３つ)の上第２ボルト挿通孔５６が、所定パターンで上下に貫通するよう穿設されている。なお実施例では、上第１ボルト挿通孔５４が仮想四角形の各角部に位置するパターンで穿設され、また上第２ボルト挿通孔５６が仮想三角形の各角部に位置するパターンで穿設してある。また上第２ボルト挿通孔５６の上部には、上第２ボルト５５の頭部および該ボルト５５が挿通されるワッシャ５７を収容し得る大きさの大径凹部５６ａが形成され、該頭部が上枠部材４０から大きく突出しないよう構成される(図１８参照)。
【００４２】
(左枠部材)
前記左枠部材４２は、図２〜図４に示す如く、前記上枠部材４０と同様に所要厚みの長尺な板材で構成されたものであって、上側端部に設定される上連結部位４２ａの外面には、図１８に示す如く、前記上連結部材４８の厚みと略同等分だけ凹む段部５８が所定長さに亘って形成されると共に、該上連結部位４２ａにおける端縁の前後方向の中央に、前記上枠部材４０のほぞ溝５２に嵌合可能なほぞ５９が突設されており、該ほぞ溝５２にほぞ５９を嵌合することで上枠部材４０に左枠部材４２が直角に組付けられるよう構成される。また段部５８には、左第１ボルト６０の挿通を許容する複数(実施例では４つ)の左第１ボルト挿通孔６１が、所定パターンで左右に貫通するよう穿設される。更に、左枠部材４２の下側端部に設定される下連結部位４２ｂには、左第２ボルト６２の挿通を許容する複数(実施例では６つ)の左第２ボルト挿通孔６３が、所定パターンで左右に貫通するよう穿設されている。なお実施例では、左第１ボルト挿通孔６１が仮想四角形の各角部に位置するパターンで穿設され、また左第２ボルト挿通孔６３が仮想四角形の各角部および上側の角部が上方に平行移動した２箇所に位置するパターンで穿設してある(図２参照)。また左枠部材４２においても、左第２ボルト挿通孔６３の外部側には、左第２ボルト６２の頭部および該ボルト６２が挿通されるワッシャ６４を収容し得る深さの大径凹部６３ａが形成され、該頭部が左枠部材４２から大きく突出しないよう構成される。
【００４３】
(右枠部材)
前記右枠部材４３は、図２〜図４に示すように、前記左枠部材４２と略同一の長さ寸法に設定された所要厚みを有する合成樹脂製の板状部材であって、その上側端部に設定される上連結部位４３ａには、前記外枠Ａの内側に向けて所定長さで水平に延出する延出部６５が一体に形成されており、前記上枠部材４０と右枠部材４３とを連結する際には、この延出部６５の上面を上枠部材４０における右連結部位４０ｂの下面に面接触した状態で上下(内外方向)に重ね合わされるよう構成される。この延出部６５には、図２０に示す如く、前記上枠部材４０に穿設された各上第２ボルト挿通孔５６と整列可能な対応位置に、前記上第２ボルト５５の挿通を許容する右第１ボルト挿通孔６６が上下に貫通するよう穿設してある。また延出部６５の下方に臨む右枠部材４３には、該右枠部材４３と上枠部材４０とを連結固定する前記第２の補強部材４５を仮止めする位置決め手段としての仮ネジ孔６７が左右方向に螺設されており、該補強部材４５の通孔９１ａ(後述)に挿通した仮ネジ６８を該仮ネジ孔６７に螺挿することで第２の補強部材４５が仮止めされるようになっている。
【００４４】
前記右枠部材４３の下側端部に設定される下連結部位４３ｂには、図１７および図２０に示す如く、右第１ボルト６９の挿通を許容する複数(実施例では６つ)の右第２ボルト挿通孔７０が、前記左第２ボルト挿通孔６３と同一パターンで左右に貫通するよう穿設されている。また右第２ボルト挿通孔７０の外部側には、右第１ボルト６９の頭部および該ボルト６９が挿通されるワッシャ７１を収容し得る深さの大径凹部７０ａが形成され、該頭部が右枠部材４３から大きく突出しないよう構成される。なお、この右枠部材４３に、前記施錠装置５０が配設されるようになっている(図２参照)。
【００４５】
(下枠部材)
前記下枠部材４１は、前述のように下面を構成する底板７２、前面を構成する前板７３および側面を構成する左右の側板７４,７５から、上方および後方に開放する箱枠状に形成されている。また、前記底板７２には、両側板７４,７５から外方に延出する左右の受部７２ａ,７２ｂが一体に形成され、図１８に示す如く、前記左右の枠部材４２,４３の下面が対応する左右の受部７２ａ,７２ｂ上に載置されるようになっている。そしてこの状態で、左右の側板７４,７５の外面が左右の枠部材４２,４３における下連結部位４２ｂ,４３ｂの内面に面接触した状態で左右(内外方向)に重ね合わされるよう構成される。なお、左右の側板７４,７５に設けられる連結構造は略対称であるので、右側板７５に設けられる連結構造について主に説明し、左側板７４側の連結構造の同一部材には同じ符号を付すと共に異なる部分のみ説明することとする。
【００４６】
図２１に示す如く、右側板７５の上端部側における内面に、前記第３の補強部材４６を位置決め嵌合可能な位置決め凹部７６が形成されると共に、該凹部７６内には、前記右枠部材４３における上段の右第２ボルト挿通孔７０,７０と対応する前後方向に離間する位置に２つの下第１ボルト挿通孔７７,７７が左右方向に貫通するよう穿設されている。また位置決め凹部７６内には、両下第１ボルト挿通孔７７,７７の中間位置に位置決めボス７８が内側に向けて突設され、該ボス７８が第３の補強部材４６の位置決め孔４６ｂ(後述)に嵌挿されるようになっている。すなわち、位置決め凹部７６および位置決めボス７８が、第３の補強部材４６の位置決め手段として機能するよう構成されている。更に、位置決め凹部７６より下方の右側板７５には、前記右枠部材４３における下段および中段の右第２ボルト挿通孔７０,７０と対応する位置にも、夫々下第１ボルト挿通孔７７が左右方向に貫通するよう穿設してある。
【００４７】
前記前板７３における左側板７４側の上面に、前記下連結部材４９の設置部７３ａが形成され、該設置部７３ａと左側板内面とによって、第５の補強部材としても機能する下連結部材４９が位置決めされるよう構成される。なお、左側板７４における設置部７３ａより上方には、前記左枠部材４２における上段の左第２ボルト挿通孔６３,６３と対応する前後方向に離間する位置に２つの下第１ボルト挿通孔７７,７７が左右方向に貫通するよう穿設してある。また設置部７３ａには、下連結部材４９を下枠部材４３に固定するためのネジ孔７３ｂが上下方向に螺設されている。更に、設置部７３ａより下方の左側板７４には、左枠部材４２における下段および中段の左第２ボルト挿通孔６３,６３と対応する位置にも、夫々下第１ボルト挿通孔７７,７７が左右方向に貫通するよう穿設されている。
【００４８】
前記右側板７５に近接する前板７３には、図２１に示すように、下段および中段の下第１ボルト挿通孔７７,７７の間に臨む位置に、後方に向けて位置決め突部７９が突設され、該位置決め突部７９の突出端部には、上下に離間して一対の位置決めボス８０,８０が突設されている。そして、前記第４の補強部材４７の第１通孔９４ａ,９４ａ(後述)に対応する位置決めボス８０,８０が嵌挿されることで、該補強部材４７の右側板７５に対する位置決めがなされるよう構成してある。また位置決め突部７９における両位置決めボス８０,８０の間に臨む位置に仮ネジ孔８１が螺設されており、前記第４の補強部材４７の第２通孔９４ｂ(後述)に挿通した仮ネジ８２を該仮ネジ孔８１に螺挿することで、該補強部材４７を右側板７５に対して仮止めし得るようになっている。すなわち、位置決め突部７９に設けた位置決めボス８０および仮ネジ孔８１が、第４の補強部材４７の位置決め手段として機能するよう構成されている。なお、左側板７４に近接する前板７３にも、同じく位置決め突部７９が突設されて、該突部７９を介して第４の補強部材４７が仮止めされるようになっている。
【００４９】
(第１の補強部材)
前記上枠部材４０と左枠部材４２とを連結固定する第１の補強部材４４は、図１８および図１９に示す如く、板金をＬ字状に折曲形成して構成され、水平な第１当接面部８６と第２当接面部８７とを略直交する位置に備えている。第１当接面部８６には、上枠部材４０の前記上第１ボルト挿通孔５４の夫々と対応する位置に上ネジ孔８６ａが螺設されており、該第１当接面部８６の上面を上枠部材４０における左連結部位４０ａの下面に面接触した状態で、前記上連結部材４８の上通孔８８ａ(後述)および上枠部材４０の上第１ボルト挿通孔５４に挿通された上第１ボルト５３を上ネジ孔８６ａに螺挿することで、上枠部材４０に第１の補強部材４４がネジ止め固定されるようになっている。また第２当接面部８７には、左枠部材４２の前記左第１ボルト挿通孔６１の夫々と対応する位置に左ネジ孔８７ａが螺設されており、該第２当接面部８７の外面を左枠部材４２における上連結部位４２ａの内面に面接触した状態で、前記上連結部材４８の横通孔８９ａ(後述)および左枠部材４２の左第１ボルト挿通孔６１に挿通された左第１ボルト６０を左ネジ孔８７ａに螺挿することで、上枠部材４０と左枠部材４２とは第１の補強部材４４を介して連結固定される。
【００５０】
前記上連結部材４８は、前記下枠部材４１に配設される下連結部材４９と協働して前枠を開閉および着脱可能に支持するものであって、図１９に示す如く、板金をＬ字状に折曲形成して構成され、その水平部８８および垂直部８９が、対応する枠部材４０,４２における段部５１,５８に面接触するよう位置決めされるようになっている(図１８参照)。また、上連結部材４８の水平部８８に、上枠部材４０の前記上第１ボルト挿通孔５４の夫々と対応する位置に上通孔８８ａが穿設されると共に、垂直部８９に、左枠部材４２の左第１ボルト挿通孔６１の夫々と対応する位置に横通孔８９ａが穿設されている。
【００５１】
(第２の補強部材)
前記上枠部材４０と右枠部材４３とを連結固定する第２の補強部材４５は、図２０に示す如く、板金を略Ｌ字状に折曲形成して構成されて、その水平な当接面部９０はコ字状に形成されると共に、該当接面９０に、右枠部材４３の前記延出部６５に穿設された前記右第１ボルト挿通孔６６の夫々と対応する位置にネジ孔９０ａを螺設してある。すなわち、図１８に示すように該当接面部９０の上面を延出部６５の下面に面接触した状態で、前記上枠部材４０の上第２ボルト挿通孔５６および右第１ボルト挿通孔６６に挿通された上第２ボルト５５をネジ孔９０ａに螺挿することで、上枠部材４０と右枠部材４３とが第２の補強部材４５を介して連結固定されるようになっている。なお、コ字状とされた当接面部９０における右枠部材４３を向く端部から垂下する平面クランク形状の取付部９１の適宜位置には、前記仮ネジ６８が挿通される通孔９１ａが左右に貫通するよう穿設されている。そして、該通孔９１ａに挿通した仮ネジ６８を、右枠部材４３の前記仮ネジ孔６７に螺挿することで、当該第２の補強部材４５は、当接面部９０の上面が延出部６５の下面に面接触すると共に、右第１ボルト挿通孔６６の夫々にネジ孔９０ａが整列する位置に仮止めされるよう構成してある。
【００５２】
(第３の補強部材)
前記下枠部材４１と右枠部材４３を連結固定する第３の補強部材４６は、図２１に示す如く、平板状の板金部材からなり、前記右側板７５に形成した位置決め凹部７６に位置決め嵌合させた際に、前記下第１ボルト挿通孔７７,７７と対応する位置にネジ孔４６ａが夫々螺設されている。またこのとき、第３の補強部材４６の外面が右側板７５に面接触するようになっており、該補強部材４６においては外面全体が当接面部として機能する。そして、右枠部材４３における最上段の右第２ボルト挿通孔７０および下枠部材４１の下第１ボルト挿通孔７７に挿通した右第１ボルト６９をネジ孔４６ａに螺挿することで、下枠部材４１と右枠部材４３とが第３の補強部材４６を介して組付け固定されるよう構成される。なお、第３の補強部材４６には、前後方向の略中央位置に、右側板７５の位置決めボス７８が嵌挿される位置決め孔４６ｂが穿設されている。
【００５３】
(第４の補強部材)
前記下枠部材４１と左右の枠部材４２,４３を連結固定する第４の補強部材４７は、図２１に示す如く、上下に離間する当接面部９２,９２と、両当接面部９２,９２を連結する連結部９３とから基本的に構成されており、各当接面部９２には、左右の側板７４,７５における下第１ボルト挿通孔７７,７７と対応する位置にネジ孔９２ａが夫々螺設されている。すなわち、左右の枠部材４２,４３の下段および中段における左右の第２ボルト挿通孔６３,７０および下枠部材４１の下第１ボルト挿通孔７７に挿通した左第２ボルト６２または右第１ボルト６９をネジ孔９２ａに螺挿することで、下枠部材４１と左右の枠部材４２,４３とが第４の補強部材４７を介して連結固定されるよう構成してある。
【００５４】
なお、前記連結部９３には、側板７４,７５から離間する内側に向けて直角に折曲された位置決め片９４が形成されており、該位置決め片９４に、前記下枠部材４１における前板７３に形成された前記位置決め突部７９の位置決めボス８０が嵌挿される第１通孔９４ａが上下に離間して穿設されている。また連結部９３における上下方向の略中央に前記仮ネジ８２が挿通される第２通孔９４ｂが穿設され、該第２通孔９４ｂに挿通した仮ネジ８２を、位置決め突部７９の前記仮ネジ孔８１に螺挿することで、当該第４の補強部材４７は、前記各当接面部９２の外面が側板７４,７５の内面に面接触すると共に、下第１ボルト挿通孔７７の夫々にネジ孔９２ａが整列する位置に仮止めされるよう構成される。
【００５５】
(第５の補強部材)
前記下枠部材４１と左枠部材４２を連結固定する第５の補強部材としても機能する前記下連結部材４９は、図２に示す如く、平板状の板金部材を逆Ｌ字状に折曲形成して構成され、その水平部４９ａには前記前板７３における設置部７３ａのネジ孔７３ｂに対応する位置に挿通孔４９ｃが穿設されており、該挿通孔４９ｃに挿通したボルト１０１を、ネジ孔７３ｂに螺挿することで、当該下連結部材４９が下枠部材４１に位置決め固定されるよう構成される。また、水平部４９ａを設置部７３ａに載置した際に、下連結部材４９の垂直部４９ｂにおける前記下第１ボルト挿通孔７７,７７と対応する位置にネジ孔４９ｄが夫々螺設されている。このとき、下連結部材４９における垂直部４９ｂの外面が左側板７４に面接触するようになっており、該下連結部材４９においては垂直部４９ｂが当接面部として機能する。そして、左枠部材４２における最上段の左第２ボルト挿通孔６３および下枠部材４１の下第１ボルト挿通孔７７に挿通した左第２ボルト６２をネジ孔４９ｄに螺挿することで、下枠部材４１と左枠部材４２とが下連結部材４９を介して組付け固定されるよう構成される。
【００５６】
【実施例の作用】
次に、実施例に係る遊技機の作用について以下説明する。
【００５７】
(出力装置の取付けについて)
前記サブフレーム２４の通出孔２４ａに前記出力装置２０の一部を前側から挿通して、該サブフレーム２４を前記出力部２１を囲繞する取付ベース２０ａの背面側に当接させた状態で、取付ベース２０ａの各通孔２０ｂに前側から挿通したネジ２６をサブフレーム２４の対応するネジ孔２４ｂに夫々螺挿することで、出力装置２０とサブフレーム２４とを固定する。また、第１カバー部材３１の外郭枠３２に形成した係止片３２ａ,３２ａを、第２カバー部材３３の枠部３５に形成した係止孔３５ａ,３５ａに対応的に嵌合させると共に、該係止孔３７ａ,３７ａから外側に突出する係止片３２ａ,３２ａを取付枠３７に形成した係止凹部３７ｃ,３７ｃに対応的に係合させることで、３つの部材を組付けて保護カバー体３０を構成する。そして、前記取付ベース２０ａと、パチンコ機Ｐにおける下枠部材４１の前板７３との間に前記保護カバー体３０を介装したもとで、該前板７３の開口部２２の周囲に突設した各ボス部２３を、前記サブフレーム２４の固定用凹部２５に対応的に挿入することにより、前板７３に対して出力装置２０が位置決めおよび仮固定される。このとき、保護カバー体３０の前側を、前記開口部２２から外部に臨ませる。そして、この状態で、前記固定用凹部２５の内底面２５ａに穿設した通孔２５ｃに裏側から挿通したネジ２７をボス部２３のネジ孔２３ａに螺挿して、前記サブフレーム２４を前記前板７３に固定することで、前記出力装置２０が下枠部材(取着部)４１の裏側に取付けられる。
【００５８】
このとき、前記取付枠３７の第２フランジ部３７ｂが前記前板７３の裏側に係合して、保護カバー体３０の前方移動が規制されると共に、前記第２カバー部材３３の第１のフランジ部３５ｂが前記取付ベース２０ａに当接する。すなわち、前記保護カバー体３０は、前記前板７３の裏側と取付ベース２０ａとに挟まれて、強固に固定される。このように、保護カバー体３０をネジ等を用いることなく取付けることができるので、部品点数を減少させてコストの低下を図り得ると共に、部品交換等の際の廃棄物を削減することができる。また、ネジの締め付け作業が減少するので、取付作業を簡単に行ない得ると共に、作業時間を短縮し得る。更に、前記保護カバー体３０は、前記サブフレーム２４を介して出力装置２０の取付ベース２０ａにより後方から押圧されて、その全周に亘って前記下枠部材４１の裏側に密着するため、各部材間に隙間を生ずるのを抑制し得る。これにより、前記出力部２１の前面(後面)に出力された音が隙間を介して後面(前面)に通出することはなく、音の干渉による打消し合いが防止されるので迫力や臨場感のある遊技を行ない得る。
【００５９】
また、前述のように、前記前板７３に形成した各ボス部２３を、前記サブフレーム２４に対応的に凹設した固定用凹部２５に挿入することで、該サブフレーム２４を所定の位置に位置決め、仮固定することができる。すなわち、前記出力装置２０および保護カバー体３０の位置決めおよび仮固定を簡単に行ない得るので、取付け作業を効率化して作業時間の短縮を図り得る。更に、前記サブフレーム２４を前記ボス部２３に仮固定した状態で、前記固定用凹部２５の内底面２５ａを貫通する通孔２５ｂにネジ２７を挿通して、該ボス部２３のネジ孔に螺着することで、出力装置２０および保護カバー体３０を前記前板７３の裏側に容易に固定することができる。
【００６０】
また、前記サブフレーム２４をボス部２３に仮固定した際に、前記固定用凹部２５の内底面２５ａと該ボス部２３の後端部との間に僅かな間隙Ｓが形成されるよう設定してあるので、両部材２３,２４を固定する際に該間隙Ｓを圧潰することにより増し締めが許容される。このように、増し締めすることで、前記サブフレーム２４を介して出力装置２０の取付ベース２０ａが前方移動して、該取付ベース２０ａの全周に亘り前方に向かう均一な押圧力を作用させることができる。これにより、前記取付ベース２０ａが、前記第２カバー部材３３における第１のフランジ部３５ｂの全周に亘って密着する。更に、前記第２カバー部材３３の第１のフランジ部３５ｂが、前記取付枠３７における第２のフランジ部３７ｂの全周に亘り前方に向かう均一な押圧力を作用させるため、該第２のフランジ部３７ｂの全体が前記前板７３の裏側に密着する。
【００６１】
すなわち、前記保護カバー体３０は、前板７３の裏側と取付ベース２０ａとの間に強固に挟持固定される。このため、パチンコ機Ｐの搬入・搬出時における振動や、遊技者が保護カバー体３０を押す等の悪戯をしても、該保護カバー体３０が前記前板７３の開口部２２から簡単に脱落することはなく、確実に出力部２１の前側を保護することができる。また、前記出力装置２０が強固に固定されることで、共振によるにより生じる、所謂びびり音の発生も効果的に抑制されて、より一層の音質の向上を図り得る。
【００６２】
ここで、一般的に出力装置２０の前後においては、例えば出力装置２０の振動板(図示せず)が前方に動いた際には、前面の空気は押されて「密」となる一方で、後面は空気の薄い「疎」となるように、当該出力装置２０を境界に逆の作用が行なわれることになる。すなわち、前記出力装置２０の前後からは、逆位相の音が出力されることになり、この前後から出力された逆位相の音が干渉すると、打消し合って音が不鮮明になることが知られている(特に低音域に対して影響が顕著である)。しかし、実施例に係る出力装置の取付構造では、サブフレーム２４を増し締め固定することで、前記保護カバー体３０の全周に亘って、前記出力装置２０の取付ベース２０ａおよび前板７３の裏側により密着させている。すなわち、前記保護カバー体３０(第１のフランジ部３５ｂ)と取付ベース２０ａとの間、および保護カバー体３０(第２のフランジ部３７ｂ)と前板７３の裏側との間に生じる隙間を低減し得る。このため、前記出力部２１の前面から出力される音が、該出力部２１の後面側に到達し難くなり、後面から出力される音との干渉による打消し合いが防止されるので、鮮明な音を遊技者に伝えることができ、遊技の興趣が増大される。また、低音域の音の打消し合いも防止されるので、迫力や臨場感のある遊技演出を行ない得るようになる。
【００６３】
更に、増し締めして固定用凹部２５の内底面２５ａと前記ボス部２３の後端部とが当接すると、前記サブフレーム２４における隔壁２４ｃの前側端縁の全周に亘って前記下枠部材４１の裏側に密着する。このように、前記取付ベース２０ａおよび前板７３の裏側に密着する前記保護カバー体３０の外側で、前記隔壁２４ｃが前記下枠部材４１の裏側に密着することで、より確実に出力部２１の前面から出力された音と後面から出力される音との干渉を防止し得る。また、前記サブフレーム２４のガタツキも低減するので、共振により生じる、所謂びびり音の発生も効果的に抑制されて、より一層の音質の向上を図り得る。
【００６４】
実施例では、前記ボス部２３の後端部と前記固定用凹部２５の内底面２５ａとの間に生じる間隙Ｓを、０.５ｍｍ〜１.５ｍｍの範囲となるように設定してあるが、これに限られるものではなく、所要の間隔とすることが可能である。
【００６５】
(保護カバー部材の作用)
更に、出力装置２０の出力部２１から出力される各種効果音は、該出力部２１の前側に配設された第１カバー部材３１および第２カバー部材３３とからなる保護カバー体３０の開口部３１ａ,３３ａを通過して、外部(遊技者等)に伝えられるようになっている。このように、前記出力装置２０の出力部２１の前側を、第１および第２カバー部材３１,３３を備える前記保護カバー体３０で保護するようにしたので、前側に配設される前記第２カバー部材３３の開口部３３ａに通入された異物を、後側に配設した前記第１カバー部材３１で規制することが可能である。
【００６６】
すなわち、前記第１および第２カバー部材３１,３３の開口部３１ａ,３３ａを夫々スリット形状および略円形に形成して、第１カバー部材３１の該開口部３１ａの開口幅Ｚを第２カバー部材３３の開口部３３ａの直径より小さく設定したので、前側の第２カバー部材３３の開口部３３ａを異物が通入した場合であっても、容易にこの第１カバー部材３１の開口部３１ａに通入することはなく、出力装置２０の出力部２１の損傷を防止し得る。例えば、前記第２カバー部材３３の開口部３３ａの後方に、前記第１カバー部材３１の開口部３１ａが臨んでいる場合であっても、第１カバー部材３３における開口部３１ａの開口幅Ｚは、第２カバー部材３３における開口部３３ａの直径より小さく設定されているから、図１０(b)に示すように、第２カバー部材３３の開口部３３ａに丸棒状の異物Ｕを通入したとしても、第１カバー部材３１におけるスリット形状の開口部３１ａへの通入を阻止できる。なお、前記両開口部３１ａ,３３ａが前後に重なっていなければ、第２カバー部材３３の開口部３３ａに通入された異物Ｕの出力部２１側への通入は、前記第１カバー部材３１の規制部３１ｂや連結部３１ｃで阻止される。
【００６７】
また、前記出力装置２０の出力部２１側に配設される第１カバー部材３１は、前後方向に所要間隔で離間すると共に、後側に向かうにつれて外形寸法が小さくなる複数の規制部３１ｂを連結部材３１ｃを介して外郭枠３２に配設し、各規制部３１ｂ間に開口部３１ａが形成されている。すなわち、図９に示すように、前記スリット形状に開口された各開口部３１ａが前方向へ開口する開口幅Ｚを、この開口部３１ａに異物が通入しないよう狭く設定しても、開口部３３ａの斜め方向へ開口する開口幅Ｙは充分な広さとなり、開口部３１ａにおける有効な開口面積を大きく確保することができるので、効果音の通過は阻害され難くなって遊技者に効果音を鮮明に伝えることができる。更に、前記第１カバー部材３１の各規制部３１ｂは、その略中央部に向かって凹形状に形成されている出力部２１の近傍に位置しているので、前記第１カバー部材３１を出力装置２０に取付けた状態における奥行き寸法はコンパクトになるため、出力部２１を遊技者に近接して配設し得、鮮明な効果音を伝えることが可能である。
【００６８】
そして、前述の如く保護カバー体３０は、前記第１カバー部材３１と第２カバー部材３３および取付枠３７を夫々着脱可能に組付けるようにしたので、単一の部材として組付けた状態で取り扱うことが可能になる。これにより、出力装置２０を取付ける際の取り扱い部品点数を減少させ得るので、組付け作業を簡略化して作業効率の向上を図り得る。また、別部材で保護カバー体３０を構成したので、各部材が損傷した場合にはその損傷した部材のみを交換することができ、コストや廃棄物等を低減させることができる。なお、遊技機ごとに異なる形状やデザインの取付枠３７を採用することで、意匠性に変化を付与することもできる。
【００６９】
(エンクロージャー構造、バスレフダクトの作用)
前記出力装置２０を、比較的スペース的に余裕があるパチンコ機Ｐの外枠Ａにおける下枠部材４１の前板７３の後側に配設するようにしたので、大型で高性能な出力装置２０を採用することが可能である。このように、出力装置２０をパチンコ機Ｐの下方位置に配設すると共に、前記バスレフダクト１０５をパチンコ機Ｐの略縦央下方位置に開口するようにしたので、遊技者の腹部近傍に各種効果音が出力されて、遊技者は迫力のある音を感じることができ、臨場感のある遊技を行なうことができる。
【００７０】
また、前述のように、前記出力部２１の前後から出力された音が干渉すると、打消し合って音が不鮮明になる。しかし、本実施例では、前記収容ケース１０３で前記出力装置２０の後方を被覆すると共に、収容ケース１０３と下枠部材４１とを密着させることでエンクロージャー構造の収容部１０４を画成し、この収容部１０４内に該出力装置２０の後方を収容してある。このため、前記出力装置２０の前後から出力される音の干渉が防止され、鮮明な効果音を出力し得るようになり、遊技者はより興趣のある遊技を行ない得るようになる。なお、前記収容部１０４の容積を変化させることで、鮮明に出力できる低音域の限界(限界周波数)を変更することが可能である(一般に、容積を大きくすることで限界周波数が下がり、より低音域の効果音を出力し得るようになる)。また、前記収容ケース１０４と前板７３との間にはゴムパッキンが配設され、前記収容部１０４の気密性を確保するようになっているので、前記出力装置２０から出力された効果音の音漏れを防止することができる。
【００７１】
ここで、一般的に出力装置２０を、ダクトを有する箱体に収容して音を出力させると、この出力装置２０の後面から出力される音は、この箱体内の空間とダクトにより、所謂ヘルツホルムの共鳴を生じ、特定の周波数(反共振周波数という)で共振してダクトから外部に音を放射することが知られており、更にこの放射音は該反共振周波数より高い周波数では、前記出力装置２０の前面から出力される音と同位相となることが知られている。すなわち、前記エンクロージャー構造の収容部１０４内と外部とを連通させる前記バスレフダクト１０５を設けることで、エンクロージャー構造の収容部１０４内と該バスレフダクト１０５とのヘルツホルム共鳴現象により低音域が増強されて、低音域が強調された迫力や臨場感の優れた効果音を出力することができる。なお、前記バスレフダクト１０５により増強される前記反共振周波数は、前記エンクロージャー構造の収容部１０４の容積やバスレフダクト１０５の径や長さ等により決定することが可能であり、前記限界周波数付近を増強し得るように設定することが好適である。
【００７２】
(保護部材の作用)
前記バスレフダクト１０５が外部に開口する開口部１０５ａに、前記エンクロージャー構造の収容部１０４内への異物等の進入を規制する規制片１０７を設けた保護部材１０６を配設することで、バスレフダクト１０５や収容部１１０４内に遊技者の手指や異物が挿入されて損傷するのは防止される。また、複数の平板部材１０７ａを所定間隔で夫々上下に離間して配設することにより、前記保護部材１０６の通孔１０６ｂを通る音が規制部１０７により妨げられることはなく、効率的に効果音を出力することが可能である。更に、前記各平板部材１０７ａの夫々は、後方側から前方側に向かって所要角度で下がるように傾斜させたので、例えば水等を零した場合でもこの平板部材１０７ａにより前記バスレフダクト１０５や収容部１０４内への進入が規制されて汚れ等の付着を防止し得る。更にまた、遊技者から前記バスレフダクト１０５内が見え難くなるので、手指の挿入等の悪戯を抑制することができる。また、前記保護部材１０６は、係止孔１０５ｂと係止片１０６ｃの嵌合手段により着脱可能に配設したので、該保護部材１０６が損傷した場合は、保護部材１０６のみを交換でき、交換コストや作業時間、廃棄物等を低減させ得る。なお、遊技機ごとに異なる形状やデザインの保護部材１０６を配設することで、意匠性に変化を付与することもできる。
【００７３】
(外枠構造の作用)
次に、前述のように構成された実施例に係るパチンコ遊技機の外枠構造の作用につき、各枠部材同士を連結する場合を個別に説明する。
【００７４】
(上枠部材と左枠部材との連結について)
前記上枠部材４０のほぞ溝５２に、左枠部材４２のほぞ５９を嵌合することで、両枠部材４０,４２を直角に組付ける。この状態で、上枠部材４０の段部５１および左枠部材４２の段部５８に、前記上連結部材４８の対応する水平部８８および垂直部８９を面接触するように位置決めする。また上枠部材４０の左連結部位４０ａの下面および左枠部材４２の上連結部位４２ａの内面に、図１８に示す如く、前記第１の補強部材４４の対応する第１当接面部８６および第２当接面部８７を夫々面接触するように位置決めする。このとき、上連結部材４８における水平部８８の上通孔８８ａ、上枠部材４０の上第１ボルト挿通孔５４および第１の補強部材４４における第１当接面部８６の上ネジ孔８６ａが上下方向に整列すると共に、上連結部材４８における垂直部８９の横通孔８９ａ、左枠部材４２の左第１ボルト挿通孔６１および第１の補強部材４４における第２当接面部８７の左ネジ孔８７ａが左右方向に整列している。従って、上通孔８８ａおよび上第１ボルト挿通孔５４に外側(上側)から挿通した上第１ボルト５３を上ネジ孔８６ａに螺挿すると共に、横通孔８９ａおよび左第１ボルト挿通孔６１に外側(左側)から挿通した左第１ボルト６０を左ネジ孔８７ａに螺挿することで、両枠部材４０,４２の連結部位４０ａ,４２ａが上連結部材４８と第１の補強部材４４とで挟持された状態で連結固定される。
【００７５】
前記第１の補強部材４４に上第１および左第１ボルト５３,６０が螺挿される上および左ネジ孔８６ａ,８７ａを直に螺設してあるから、ナットを不要として部品点数を低減し得る。しかも、第１の補強部材４４における第１および第２当接面部８６,８７は、対応する枠部材４０,４２に面接触しているから、前記上第１および左第１ボルト５３,６０の締付け位置(上ネジ孔８６ａ,左ネジ孔８７ａ)の近傍にのみ負荷が加わることなく当接面の全体に力を均等に分散させることができ、これにより該補強部材４４や枠部材４０,４２を変形させることなく連結強度を向上することができる。また、１箇所の上および左ネジ孔８６ａ,８７ａに対応する第１ボルト５３,６０を螺挿すれば、他のネジ孔８６ａ,８７ａは対応する通孔８８ａ,５４／８９ａ,６１に整列するから、各第１ボルト５３,６０を螺挿する毎に補強部材４４の位置調整を行なう必要はなく、作業の容易化が図られる。
【００７６】
(上枠部材と右枠部材との連結について)
前記上枠部材４０と右枠部材４３との連結に先立ち、該右枠部材４３における延出部６５の下側に、前記第２の補強部材４５の通孔９１ａに挿通した仮ネジ６８を仮ネジ孔６７に螺挿することで、該第２の補強部材４５を、その当接面部９０の上面が延出部６５の下面に面接触すると共に、右第１ボルト挿通孔６６の夫々にネジ孔９０ａが整列する位置に仮止めする。この状態で、上枠部材４０における右連結部位４０ｂの下面に、右枠部材４３における延出部６５の上面を面接触させる。このとき、上枠部材４０の上第２ボルト挿通孔５６と延出部６５の右第１ボルト挿通孔６６および第２の補強部材４５のネジ孔９０ａが上下方向に整列する。従って、上第２ボルト挿通孔５６および右第１ボルト挿通孔６６に外側(上側)から挿通した上第２ボルト５５をネジ孔９０ａに螺挿することで、両枠部材４０,４３の連結部位４０ｂ,４３ａが第２の補強部材４５で連結固定される。
【００７７】
この上枠部材４０と右枠部材４３とは、該右枠部材４３の延出部６５を上枠部材４０と第２の補強部材４５とで挟持した状態で連結固定されるから、その連結強度は向上する。また、第２の補強部材４５に上第２ボルト５５が螺挿されるネジ孔９０ａを直に螺設してあるから、ナットを不要として部品点数を低減し得る。しかも、第２の補強部材４５における当接面部９０は延出部６５に面接触しているから、上第２ボルト５５の締付け位置(ネジ孔９０ａ)の近傍にのみ負荷が加わることなく当接面の全体に力を均等に分散させることができ、これにより該補強部材４５や枠部材４０,４３に割れやひずみ等を生じさせることなく連結強度を向上することができる。また、第２の補強部材４５は右枠部材４３に予め位置決めされているから、連結作業に際して作業者は該補強部材４５を保持しながらボルト締めを行なう必要はなく、作業の容易化が図られる。
【００７８】
(下枠部材と右枠部材との連結について)
前記下枠部材４１と右枠部材４３との連結に先立ち、前記第３の補強部材４６を、その位置決め孔４６ｂに前記右側板４５の位置決め凹部７６に設けた位置決めボス７８が嵌挿されるように位置決め凹部７６に嵌合する。これにより、第３の補強部材４６は、その外面が右側板７５の内面に面接触すると共に、下第１ボルト挿通孔７７,７７にネジ孔４６ａ,４６ａが整列する位置に仮止される。また前記前板７３に形成された位置決め突部７９の位置決めボス８０,８０を、前記第４の補強部材４７の第１通孔９４ａ,９４ａに嵌挿すると共に、該補強部材４７の第２通孔９４ｂに挿通した仮ネジ８２を位置決め突部７９の仮ネジ孔８１に螺挿する。これにより、第４の補強部材４７は、前記当接面部９２,９２の外面が右側板７５の内面に面接触すると共に、下第１ボルト挿通孔７７,７７のネジ孔９２ａ,９２ａが整列する位置に仮止めされる。
【００７９】
前記右枠部材４３の下面を、下枠部材４１における前記右受部７２ｂに載置すると共に、該右枠部材４３における下連結部位４３ｂの内面を右側板４５の外面に面接触させる。このとき、右枠部材４３の右第２ボルト挿通孔７０と右側板７５の下第１ボルト挿通孔７７および第３の補強部材４６のネジ孔４６ａまたは第４の補強部材４７のネジ孔９２ａが左右方向に整列する。従って、右第２ボルト挿通孔７０および下第１ボルト挿通孔７７に外側(右側)から挿通した右第１ボルト６９を対応するネジ孔４６ａ,９２ａに螺挿することで、両枠部材４１,４３の連結部位４１ｂ,４３ｂが第３および第４の補強部材４６,４７で連結固定される。
【００８０】
この下枠部材４１と右枠部材４３とは、該下枠部材４１の右側板７５を右枠部材４３と第３および第４の補強部材４６,４７とで挟持した状態で連結固定されるから、その連結強度は向上する。また、第３および第４の補強部材４６,４７に右第１ボルト６９が螺挿されるネジ孔４６ａ,９２ａを直に螺設してあるから、ナットを不要として部品点数を低減し得る。しかも、第３および第４の補強部材４６,４７における外面や当接面部９２は右側板７５に面接触しているから、ボルト６９の締付け位置(ネジ孔４６ａ,９２ａ)の近傍にのみ負荷が加わることなく当接面の全体に力を均等に分散させることができ、これにより該補強部材４６,４７や枠部材４１,４３を変形させることなく連結強度を向上することができる。また、第３および第４の補強部材４６,４７は下枠部材４１に予め位置決めされているから、連結作業に際して作業者は該補強部材４６,４７を保持しながらボルト締めを行なう必要はなく、作業の容易化が図られる。
【００８１】
(下枠部材と左枠部材との連結について)
前記下枠部材４１と左枠部材４２との連結に先立ち、前記下連結部材４９を、その挿通孔４９ｃが前記前板７３における設置部７３ａのネジ孔７３ｂと一致するように、前記水平部４９ａを該設置部７３ａに載置する。これにより、下連結部材４９は、その垂直部４９ｂの外面が左側板７４の内面に面接触すると共に、下第１ボルト挿通孔７７,７７にネジ孔４９ｄ,４９ｄが整列する位置に固定される。また前記第４の補強部材４７を、前述したと同様に前板７３に形成された位置決め突部７９に仮止めする。
【００８２】
前記左枠部材４２の下面を、下枠部材４１における前記左受部７２ａに載置すると共に、該左枠部材４２における下連結部位４２ｂの内面を左側板４４の外面に面接触させる。このとき、左枠部材４２の左第２ボルト挿通孔６３と左側板７４の下第１ボルト挿通孔７７および下連結部材４９のネジ孔４９ｄまたは第４の補強部材４７のネジ孔９２ａが左右方向に整列する。従って、左第２ボルト挿通孔６３および下第１ボルト挿通孔７７に外側(左側)から挿通した左第２ボルト６２を対応するネジ孔４９ｄ,９２ａに螺挿することで、両枠部材４１,４２の連結部位４１ａ,４２ｂが下連結部材４９および第４の補強部材４７で連結固定される。
【００８３】
この下枠部材４１と左枠部材４２とは、該下枠部材４１の左側板４４を左枠部材４２と下連結部材４９および第４の補強部材４７で挟持した状態で連結固定されるから、その連結強度は向上する。また、下連結部材４９および第４の補強部材４７に左第２ボルト６２が螺挿されるネジ孔４９ｄ,９２ａを直に螺設してあるから、ナットを不要として部品点数を低減し得る。しかも、下連結部材４９および第４の補強部材４７における外面や当接面部９２は左側板４４に面接触しているから、前記第２ボルト６２の締付け位置(ネジ孔１９ｄ,９２ａ)の近傍にのみ負荷が加わることなく当接面の全体に力を均等に分散させることができ、これにより下連結部材４９や第４の補強部材４７あるいは枠部材４１,４２を変形させることなく連結強度を向上することができる。また、下連結部材４９および第４の補強部材４７は下枠部材４１に予め位置決めされているから、連結作業に際して作業者は下連結部材４９や補強部材４７を保持しながらボルト締めを行なう必要はなく、作業の容易化が図られる。
【００８４】
前述したように、各枠部材４０,４１,４２,４３同士の連結部の強度が個々に向上したことで、外枠Ａ自体の強度も向上し、重量のある前枠を組付けた際の必要充分な強度が確保される。
【００８５】
【変更例】
なお、実施例では、出力装置の出力部を保護し得る保護カバー体を構成するカバー部材を２つとした場合で説明したが、３つ以上のカバー部材で構成することも可能である。この場合も、カバー部材に形成する開口部を夫々異なる形状とすることで、外部からの異物の通入を防止して、前記出力部の損傷を防ぐことができる。ここで、３つ以上のカバー部材で保護カバー体を構成する場合には、その開口面積が必要以上に小さくならないよう注意が必要である。また、夫々のカバー部材およびその開口部の形状は、実施例のものに限られるものではなく、三角形、四角形、星型その他の形状を採用し得る。例えば、後側に配設されるカバー部材の外郭枠を略円形に形成し、その略中央部に向かって凹形状に形成された規制部に所要径の開口部を複数形成し、前側に配設されるカバー部材を該外郭枠と対応する大きさの略円形に形成して、その平面部に矩形の開口部を形成することも可能である。このとき、前記後側のカバー部材に形成される開口部を、前側のカバー部材に形成される開口部より小さく設定することで、外部からの異物の通入を防止して、前記出力部の損傷を防ぐことができる。
【００８６】
前記第１カバー部材の外郭枠の上端および下端に係止片を形成したが、該係止片を形成する位置および数は所要に応じて設定でき、第２カバー部材におけるこの係止片と対応する位置に係止孔を形成するようにすれば良い。また、実施例では、第１カバー部材に形成した係止片を第２カバー部材に形成した係止孔に嵌合させて固定するようにしたが、これに限らず、ネジ等による螺着や接着剤による接着、その他従来公知の各種手段を使用し得るが、着脱可能に取着する手段が好適である。
【００８７】
また、前記収容ケースと下枠部材の前板の裏側とで画成される収容部に、出力装置を左右に１基ずつ配設するようにしたが、その数および配設位置はこれに限られず、適宜に変更することが可能である。更に、前記出力装置として、少なくとも中高音用の出力装置をエンクロージャー構造の収容部内に配設するようにしても、低音の強調された迫力のある効果音を出力させることができる。更に、左右に配設した出力装置を１つの収容ケース内に収容するようにしたが、夫々の出力装置を独立して収容ケースに収容してもよい。また、出力装置をパチンコ機の下方位置に配設したが、これに限られるものではなく、遊技機の所要位置に配設して、その後側をエンクロージャー構造の収容部に収容すると共に、該収容部内と外部とを連通させれば、鮮明で迫力のある効果音を出力させることが可能である。なお、バスレフダクトを延長屈曲させた迷路状に構成し、該ダクトの全長を長くすることで、より低音域まで再生可能とすることもできる。そして、バスレフダクトの幅員を、出力側(外側)に向かって徐々に広げていく、所謂バックロードホーンタイプとすれば、より低音域を強く再生できるようになるので、歯切れの良い音の出力が可能となる。
【００８８】
そして、前記バスレフダクトの外部に開口した開口部近傍に穿設した係止孔に、カバー部材に設けた係止片を嵌合させることで装着固定するようにしたが、これに限らず、ネジ等による螺着や接着剤による接着、その他従来公知の各種手段を使用し得るが、着脱可能に取着する手段が好適である。また、前記カバー部材に平板状の規制片を複数配設して規制部を構成したが、エンクロージャー構造内への異物等の進入を防止し得る構成であれば、その他の構成を採用し得る。なお、平板状の規制片を採用した場合では、その傾斜角度は所要に応じて変更することができる。
【００８９】
また、上枠部材と左枠部材を木製、右枠部材と下枠部材を合成樹脂製とした場合で説明したが、その材質は実施例のものに限定されるものでなく、木、合成樹脂または金属等を適宜に使用可能である。また枠部材に設けた延出部を、連結対象となる枠部材の内面に面接触させたが、該延出部を連結対象となる枠部材の外面に面接触させ、該延出部と補強部材とで枠部材を挟持した状態で連結固定する構成を採用し得る。更に、各枠部材の連結部で用いられるボルトの使用本数は実施例の数に限定されず、使用強度等に応じて適宜に選定し得るものである。更にまた、実施例では下枠部材と左枠部材とを連結する第５の補強部材として、外枠に対して前枠を組付けるための下連結部材を兼用する場合で説明したが、下枠部材の左右の構成を同一とし、下連結部材に代えて第３の補強部材を用いて連結するようにしてもよい。
【００９０】
なお、パチンコ機に配設される出力装置の出力部を保護カバー体で保護するようにしたが、これに限らず、スロットマシン機やアレンジボール機等の種々の遊技機に配設される出力装置における出力部の損傷を防止できる。
【００９１】
【発明の効果】
以上説明した如く、本発明に係る遊技機は、外枠の下辺を構成する下枠部材の前板と、出力装置の出力部を囲繞する枠状のフレームとの間に、該前板の第１の開口部に臨む出力部の保護カバー体を介装したもとで、該出力装置のフレームに背面側からサブフレームを当接させ、このサブフレームを前板の裏側に取付けることにより、当該出力部が前板の第１の開口部に臨む状態で出力装置を取付固定する。また、前記サブフレームを前板の裏側に取付けることで、前記出力装置のフレームがサブフレームの板状部分に対して密着すると共に、前記保護カバー体の当接部の全周が出力装置のフレームに対して密着し、更に保護カバー体の当接部および隔壁の夫々の全周が前板の裏面に対して密着する。すなわち、前記出力部の保護カバー体をネジ等を使用することなく固定することができ、部品点数を減少させ得ると共にコストの削減を図り得る。また、ネジの締め付け作業が減少するので、取付作業を簡単に行ない得ると共に、作業時間を短縮し得る。更に、前記出力装置のフレームをサブフレームの板状部分に対して密着させると共に、前記保護カバー体の当接部の全周を出力装置のフレームに対して密着させ、更に保護カバー体の当接部および隔壁の夫々の全周を前板の裏面に対して密着させることで、各部材間に隙間を生ずるのを抑制し得る。これにより、出力部の前面(後面)に出力された音が隙間を介して後面(前面)に通出することはなく、音の干渉による打消し合いが防止されるので遊技の迫力や臨場感のある遊技を行ない得る。
【００９２】
また、前記出力装置の後方側に該出力装置を収容する収容ケースを配設し、該収容ケースと前記前板とで気密的な収容部を画成したことで、より一層出力装置の前後から出力される音の干渉を抑制することができ、鮮明な音の出力が可能となる。また、前記収容部の内部と外部とを連通させるバスレフダクトを設けたから、前記出力装置から出力される音の低音域を増強し得るので、臨場感や迫力のある音の出力が可能となる。
【００９３】
また、前記前板の裏側で且つ前記開口部を囲む所要箇所に複数の突起を形成すると共に、前記サブフレームにおける出力装置のフレームと当接する側の部位に、この突部の挿入を許容する複数の有底孔を対応的に凹設して、該有底孔に突部を挿入すれば、該サブフレームを所定の位置に位置決めして、仮固定することができる。すなわち、前記出力装置および保護カバー体の位置決めおよび仮固定を簡単に行ない得るので、取付作業を効率化して作業時間の短縮を図り得る。また、前記有底孔の底部を貫通する通孔を形成すれば、前記サブフレームを前記突部に仮固定した際に、該通孔にネジを挿入して前記突部に螺着することで、出力装置および保護カバー体を前記前板の裏側に容易に固定することができる。
【００９４】
更にまた、前記サブフレームを仮固定した際に、前記有底孔の底部と前記突部の頂面との間に僅かな間隙を形成することで、前記ネジを前記突部に螺着する際に該間隙を圧潰して増し締めが許容されるので、該サブフレームを介して出力装置のフレームの全周に亘り均一な押付力を作用させることができる。前記有底孔の底部と前記突部の頂面との間に僅かな間隙を形成して増し締めすることで、前記保護カバー体は、その全周に亘ってフレームおよび前板の裏側に強固に密着される。すなわち、前記保護カバー体の前記前板からの脱落が防止されると共に、前記出力部の前後がより確実に隔絶されて、出力装置の前後から出力される音の干渉を抑制し得る。また、前記出力装置も強固に固定されるため、共振により生じる、所謂びびり音の低減も図ることができるようになる。
【図面の簡単な説明】
【図１】本発明の実施例に係るパチンコ機を示す正面図である。
【図２】実施例に係る外枠を分解状態で背面側から示す概略斜視図である。
【図３】実施例に係る外枠の正面図である。
【図４】実施例に係る外枠の背面図である。
【図５】実施例に係るパチンコ機の下枠部材を背面から見た状態を示す斜視図である。
【図６】実施例に係る保護カバー体を分解した状態を背面から見た斜視図である。
【図７】実施例に係る出力装置、カバー部材および取付枠を分解した状態で示す側面図である。
【図８】実施例に係る第１カバー部材を正面から見た斜視図である。
【図９】実施例に係る第１カバー部材の縦断側面図である。
【図１０】  (a)は実施例に係る第１カバー部材と第２カバー部材とを組付けた状態を示す正面図であり、(b)は第１カバー部材の開口部と第２カバー部材の開口部の関係を拡大して示す概略図である。
【図１１】実施例に係るサブフレームを示し、(a)は正面図であり、(b)は(a)におけるＴ−Ｔ線断面図である。
【図１２】実施例に係る出力装置の取付工程を示す側面図である。
【図１３】実施例に係る下枠部材のボス部をサブフレームの固定用凹部に挿入して仮固定した際の、ボス部および固定用凹部の関係を拡大して一部破断した状態で示す側面図である。
【図１４】実施例に係るパチンコ機の下枠部材を正面から見た状態を示す斜視図である。
【図１５】実施例に係る保護部材を示し、(a)は背面から見た斜視図であり、(b)は縦断側面図である。
【図１６】実施例に係る外枠の左側面図である。
【図１７】実施例に係る外枠の右側面図である。
【図１８】実施例に係る外枠の各枠部材の連結部を示す拡大背面図である。
【図１９】実施例に係る上枠部材と左枠部材との連結部を分解して示す概略斜視図である。
【図２０】実施例に係る上枠部材と右枠部材との連結部を分解して示す概略斜視図である。
【図２１】実施例に係る下枠部材と右枠部材との連結部を分解して示す概略斜視図である。
【符号の説明】
２０  出力装置
２０ａ  取付ベース(フレーム)
２１  出力部
２２  開口部(第１の開口部)
２３  ボス部(突起)
２４  サブフレーム
２４ａ  通出孔
２４ｃ  隔壁
２５  固定用凹部(有底孔)
２５ａ  底面(内底面)
２７  ネジ
３０  保護カバー体
３１  第１カバー部材
３１ａ  第１カバー部材の開口部
３１ｂ  規制部
３２  外郭枠
３３  第２カバー部材(カバー部材)
３３ａ  第２カバー部材の開口部
３４  平面部
３５  枠部
３５ｂ  第１のフランジ部(当接部)
３７  取付枠
３７ｂ  第２のフランジ部(当接部)
４１  下枠部材
７３  前板
１０３  収容ケース
１０４  収容部
１０５  バスレフダクト
１０５ａ  開口部(第２の開口部)
Ａ  外枠
Ｂ  中枠
Ｊ  遊技盤
Ｓ  間隙
【図１】
0004193027.tif 000002
【図２】
0004193027.tif 000003
【図３】
0004193027.tif 000004
【図４】
0004193027.tif 000005
【図５】
0004193027.tif 000006
【図６】
0004193027.tif 000007
【図７】
0004193027.tif 000008
【図８】
0004193027.tif 000009
【図９】
0004193027.tif 000010
【図１０】
0004193027.tif 000011
【図１１】
0004193027.tif 000012
【図１２】
0004193027.tif 000013
【図１３】
0004193027.tif 000014
【図１４】
0004193027.tif 000015
【図１５】
0004193027.tif 000016
【図１６】
0004193027.tif 000017
【図１７】
0004193027.tif 000018
【図１８】
0004193027.tif 000019
【図１９】
0004193027.tif 000020
【図２０】
0004193027.tif 000021
【図２１】
0004193027.tif 000022